(57)【特許請求の範囲】
【請求項１】
容器口部に装着されるキャップ本体と、該キャップ本体に上下にスライド可能に保持された開閉部材とからなり、
該キャップ本体は、中央部に第１の内容液注出口を供えた頂板部を備え、該頂板部の外面には、該第１の内容液注出口を取り囲むようにして開閉部材保持筒が形成されており、且つ上方に直立した栓体が該第１の内容液注出口の中央部分に位置しており、該栓体は、該第１の内容液注出口を閉塞しないように設けられたブリッジによって該頂板部に連結されているとともに、
前記開閉部材には、上下にスライド可能に前記開閉部材保持筒に係合した係合部材と、第２の内容液注出口とが形成されており、該開閉部材が最降下位置に位置しているときには、該第２の内容液注出口が前記栓体によって閉じられてシールされる複合容器蓋において、
摘み用リング部材が、前記開閉部材を取り囲むように設けられており、該摘み用リング部材は、適当な間隔で形成された複数の連結部材によって前記開閉部材に連結されており、隣り合う連結部材の間には、該開閉部材の外面に垂れ落ちた内容液を逃がすための空間が形成されており、
前記連結部材の周方向断面は、少なくとも上部が山形形状となっていることを特徴とする複合容器蓋。
【請求項２】
前記開閉部材は、天面壁と天面壁周縁から降下したスカート壁とからなり、該スカート壁の下端部外面が、前記連結部材によって前記摘み用リング部材の内周面に連結されており、前記天面壁の内面に、前記開閉部材保持筒の内面に密着するシール部材と、前記開閉部材保持筒の外面と係合する前記係合部材が設けられている請求項１に記載の複合容器蓋。
【請求項３】
前記連結部材の上面が、前記リング部材の上面よりも低い位置にあり、前記リング部材の上面の内周側は、内方に向かって降下した傾斜面または曲率面となっており、該傾斜面または曲率面の下側に、前記連結部材が接続されている請求項１又は請求項２に記載の複合容器蓋。
【請求項４】
容器口部に装着されるキャップ本体と、該キャップ本体に上下にスライド可能に保持された開閉部材とからなり、
該キャップ本体は、中央部に第１の内容液注出口を供えた頂板部を備え、該頂板部の外面には、該第１の内容液注出口を取り囲むようにして開閉部材保持筒が形成されており、且つ上方に直立した栓体が該第１の内容液注出口の中央部分に位置しており、該栓体は、該第１の内容液注出口を閉塞しないように設けられたブリッジによって該頂板部に連結されているとともに、
前記開閉部材には、上下にスライド可能に前記開閉部材保持筒に係合した係合部材と、第２の内容液注出口とが形成されており、該開閉部材が最降下位置に位置しているときには、該第２の内容液注出口が前記栓体によって閉じられてシールされる複合容器蓋において、
摘み用リング部材が、前記開閉部材を取り囲むように設けられており、該摘み用リング部材は、適当な間隔で形成された複数の連結部材によって前記開閉部材に連結されており、隣り合う連結部材の間には、該開閉部材の外面に垂れ落ちた内容液を逃がすための空間が形成されており、
前記リング部材の下面には、少なくとも前記連結部材の延長線上を跨ぐようにして、垂れ落ちた内容液の遮断用突起が延びていることを特徴とする複合容器蓋。
【発明の詳細な説明】
【技術分野】
【０００１】
本発明は、容器口部に装着されるキャップ本体と、該キャップ本体に上下にスライド可能に保持された開閉部材とからなり、開閉部材を上方にスライドさせることにより、容器内容液を、キャップ本体及び開閉部材のそれぞれに形成された注出口を介して外部に注ぎ出される複合容器蓋に関する。
【背景技術】
【０００２】
上記のようなキャップ本体と開閉部材とからなる複合容器蓋は、所謂プッシュプルキャップとして、食器用或いはトイレ用などの液体洗剤が収容された容器に適用されている。即ち、このようなキャップは、開閉部材を手で持って上方に引っ張り上げることにより、液体洗剤等の内容液の注ぎ出しを行うものである。
【０００３】
特許文献１には、このようなタイプの複合容器蓋として、開閉部材をドーム形状とし、その中心部に内容液注出口を形成するとともに、ドーム形状の開閉部材の外面に、開閉部材を手で引っ張り上げ易いように、周状突起を設けたものが提案されている。
【特許文献１】実開平６−５４５５４号公報
【発明の開示】
【発明が解決しようとする課題】
【０００４】
しかしながら、従来公知の複合容器蓋においては、開閉部材を上方に引っ張り上げたり或いは押し下げるに際して、内容液を注ぎ出したときに開閉部材の外面に垂れ落ちた内容液によって手が汚れるという問題があった。また、手の汚れにより、開閉部材を手で持っての開閉操作がしにくくなるという問題もある。特に、液体洗剤のような液は、粘性が高いため、これを収容した容器に適用される複合容器蓋については、手の汚れの問題を改善することが求められている。
【０００５】
従って本発明の目的は、開閉部材の外面に垂れ落ちた液による手の汚れの問題を改善し、また手の汚れによる開閉部材の開閉操作性の低下が防止された複合容器蓋を提供することにある。
【課題を解決するための手段】
【０００６】
本発明の一局面によれば、容器口部に装着されるキャップ本体と、該キャップ本体に上下にスライド可能に保持された開閉部材とからなり、該キャップ本体は、中央部に第１の内容液注出口を供えた頂板部を備え、該頂板部の外面には、該第１の内容液注出口を取り囲むようにして開閉部材保持筒が形成されており、且つ上方に直立した栓体が該第１の内容液注出口の中央部分に位置しており、該栓体は、該第１の内容液注出口を閉塞しないように設けられたブリッジによって該頂板部に連結されているとともに、前記開閉部材には、上下にスライド可能に前記開閉部材保持筒に係合した係合部材と、第２の内容液注出口とが形成されており、該開閉部材が最降下位置に位置しているときには、該第２の内容液注出口が前記栓体によって閉じられてシールされる複合容器蓋において、摘み用リング部材が、前記開閉部材を取り囲むように設けられており、該摘み用リング部材は、適当な間隔で形成された複数の連結部材によって前記開閉部材に連結されており、隣り合う連結部材の間には、該開閉部材の外面に垂れ落ちた内容液を逃がすための空間が形成されており、前記連結部材の周方向断面は、少なくとも上部が山形形状となっていることを特徴とする複合容器蓋が提供される。
前記開閉部材は、天面壁と天面壁周縁から降下したスカート壁とからなり、該スカート壁の下端部外面が、前記連結部材によって前記摘み用リング部材の内周面に連結されており、前記天面壁の内面に、前記開閉部材保持筒の内面に密着するシール部材と、前記開閉部材保持筒の外面と係合する前記係合部材が設けられている、ことが好ましい。
前記連結部材の上面が、前記リング部材の上面よりも低い位置にあり、前記リング部材の上面の内周側は、内方に向かって降下した傾斜面または曲率面となっており、該傾斜面または曲率面の下側に、前記連結部材が接続されている、ことが好ましい。
本発明の他の局面によれば、容器口部に装着されるキャップ本体と、該キャップ本体に上下にスライド可能に保持された開閉部材とからなり、該キャップ本体は、中央部に第１の内容液注出口を供えた頂板部を備え、該頂板部の外面には、該第１の内容液注出口を取り囲むようにして開閉部材保持筒が形成されており、且つ上方に直立した栓体が該第１の内容液注出口の中央部分に位置しており、該栓体は、該第１の内容液注出口を閉塞しないように設けられたブリッジによって該頂板部に連結されているとともに、前記開閉部材には、上下にスライド可能に前記開閉部材保持筒に係合した係合部材と、第２の内容液注出口とが形成されており、該開閉部材が最降下位置に位置しているときには、該第２の内容液注出口が前記栓体によって閉じられてシールされる複合容器蓋において、摘み用リング部材が、前記開閉部材を取り囲むように設けられており、該摘み用リング部材は、適当な間隔で形成された複数の連結部材によって前記開閉部材に連結されており、隣り合う連結部材の間には、該開閉部材の外面に垂れ落ちた内容液を逃がすための空間が形成されており、前記リング部材の下面には、少なくとも前記連結部材の延長線上を跨ぐようにして、垂れ落ちた内容液の遮断用突起が延びていることを特徴とする複合容器蓋が提供される。
【発明の効果】
【０００８】
本発明の複合容器蓋においては、摘み用リング部材を手で持って持ち上げることにより、開閉部材を上方にスライドさせ、これにより、開閉部材に形成されている第２の内容液注出口が開放されて第１の内容液注出口に連通し、この状態で容器を傾け、容器胴部を押圧することによって内容液の注ぎ出しが行われ、注ぎ出し終了後は、摘み用リング部材を手で持って開閉部材を押し下げることにより、第２の内容液注出口がキャップ本体に形成されている栓体によって閉じられて再びシールされる。この場合において、注ぎ出された内容液が開閉部材の外面に沿って垂れ落ちたとしても、垂れ落ちた液は、摘み用リング部材と開閉部材とを連結している複数の連結部材の間に形成されている空間から流れ落ちるため、垂れ落ちた液が摘み用リング部材を汚すことがなく、従って、この摘み用リング部材を手で持ったときに手が汚れることがない。また、摘み用リング部材が液で汚れることがないため、手汚れにより、このリング部材を手で持っての開閉部材の開閉操作がしにくくなるという問題も有効に回避することができる。
【発明を実施するための最良の形態】
【０００９】
以下、本発明に従って構成された複合容器蓋の好適実施形態について、添付図面を参照して更に詳述する。
図１は、本発明の複合容器蓋について、開閉部材が閉じられている状態での側面図であり、
図２は、図１の複合容器蓋の側断面図であり、
図３は、図１の複合容器蓋について、開閉部材が開放されている状態での側断面図であり、
図４は、図１の複合容器蓋の底面図であり、
図５は、図１の複合容器蓋の上面図であり、
図６は、図５の複合容器蓋に設けられている開閉部材と摘み用リング部材とを連結する連結部材を拡大して示すＡ−Ａ断面図であり、
図７は、図１の複合容器蓋における開閉部材及び連結部材を拡大して示す側断面図である。
【００１０】
図１乃至図４を参照して、本発明の複合容器蓋は、全体として１で示すキャップ本体と、全体として３で示す開閉部材とを有している。
【００１１】
キャップ本体１は、容器口部（図示せず）に装着されるものであり、頂板部５と、筒状側壁７とを備え、頂板部５と筒状側壁７とは湾曲した肩部９を介して連なっており、また、図から明らかなように、筒状側壁７は、若干、裾広がりの形状を有している。
【００１２】
筒状側壁７の内面には、容器口部の外面と螺子係合する螺条１１が形成されており、また、肩部９の内面には、筒状側壁７の内面とは間隔を置いて下方に降下したインナーリング１３が形成され、インナーリング１３と筒状側壁７との間には、環状小突起１５が形成されている。即ち、螺条１１による螺子係合によりキャップ本体１を容器口部に装着したとき、容器口部の上方部分がインナーリング１３と筒状側壁７との間の空間に侵入し、容器口部の内面がインナーリング１３の外面と密着し且つ容器口部の上端面が環状小突起１５に当接することにより、良好なシールが形成される。
【００１３】
尚、肩部９は、必ず形成されていなければならないものではなく、頂板部５の周縁が直接筒状側壁７の上端に連なり、頂板部５の内面に、上記のインナーリング１３や環状小突起１５を形成することも可能である。
【００１４】
頂板部５の中央部分には、第１の内容液注出口（以下、単に第１の注出口と呼ぶ）１７が形成され、頂板部５の外面には、この第１の注出口１７を取り囲むように、上方に直立した開閉部材保持筒１９が形成されている。また、図２や図３では省略されているが、この保持筒１９の外面の上方部分には、開閉部材３のすっぽ抜けを防止するための突起が形成されている。さらに、第１の注出口１７の中央部分には、上方に直立した栓体２１が設けられており、この栓体２１は、適当な間隔を置いて設けられた複数のブリッジ２３によって、第１の注出口１７の周縁部の頂板部５に連結されている（図４参照）。即ち、図４から理解されるように、複数のブリッジ２３は、第１の注出口１７を閉塞しないように設けられるものであり、複数のブリッジの間隙を介して、容器内空間は頂板部５の外部空間に連通している。
【００１５】
一方、上記のキャップ本体１に上下にスライド可能に設けられる開閉部材３は、天面壁３１と、天面壁３１の周縁から降下したスカート壁３３とからなっており、図から理解されるように、この例では、天面壁３１は、ドーム形状を有している。
【００１６】
天面壁３１の中心部分には、比較的小径の第２の内容液注出口（以下、単に第２の注出口と呼ぶ）３５が形成されており、天面壁３１の内面からは、シールリング３７と、シールリング３７の外側に位置するガイドリング３９とが下方に延びている。即ち、シールリング３７は、開閉部材保持筒１９の内面に密着するシール部材として機能するものであり、ガイドリング３９は、開閉部材保持筒１９の外面と係合する係合部材として機能するものである。図２及び図３から明らかなように、このシールリング３７とガイドリング３９との間の空間にキャップ本体１の開閉部材保持筒（以下、単に保持筒と呼ぶ）１９が嵌め込まれることにより開閉部材３は、上下にスライド可能にキャップ本体１に保持される。
【００１７】
シールリング３７の外面は、保持筒１９の内面に密着してスライド可能となっており、また、図では省略されているが、ガイドリング３９の下端部分には、保持筒１９の外面の上方部分に形成されている突起と係合するアンダーカットが形成されている。即ち、開閉部材３を最上方位置までスライドさせたときには（図３参照）、このアンダーカットが保持筒１９の外面の突起と係合することにより、開閉部材３のキャップ本体１からのすっぽ抜けが防止されるようになっている。また、開閉部材３を最降下位置までに降下させたときには（図２参照）、キャップ本体１に設けられている栓体２１の上端部によって第２の注出口３５が閉じられ、且つシールリング３７の外面が保持筒１９の内面に密着していることにより、容器内空間が良好にシールされる。
【００１８】
尚、アンダーカットを備えたガイドリング３９は、必ずしもリング状である必要は無く、開閉部材３の上下動がスムーズに行われ且つすっぽ抜けが防止される限り、このガイドリング３９を弧状に分割して形成することも可能である。また、このようなガイドリング３９を形成する代わりに、開閉部材３のスカート壁３３の内面の下方部分に、保持筒１９の外面に形成されている突起と係合する突起を設けることもできる。
【００１９】
本発明の複合容器蓋においては、上記の開閉部材３を取り囲むように、摘み用リング部材５０が設けられ、図５に示されているように、この摘み用リング部材５０は、複数の連結部材５１によって開閉部材３に連結されている。即ち、この摘み用リング部材５０を手で持って持ち上げることにより、開閉部材３を上方にスライドさせ、図３に示されているように、第２の注出口３５を開放し、第１の注出口１７と第２の注出口３５とを連通させる。従って、この状態で容器を傾けることにより、内容液の注ぎ出しが行われる。また、注ぎ出し終了後は、この摘み用リング部材５０を手で押し下げることにより、開閉部材３を最下方位置までスライドさせ、栓体２１の上端部によって第２の注出口３５が閉じられることとなる（図２参照）。
【００２０】
本発明においては、上記のように設けられる複数の連結部材５１の間に空間５３を形成することが重要である。即ち、内容液の注ぎ出しを行ったときには、注ぎ出された内容液が開閉部材３の外面に沿って垂れ落ちることがあるが、上記の空間５３が垂れ落ちた液の逃げとなるため、このような垂れ落ちが生じたとしても、垂れ落ちた液は、空間５３から流れ落ち、摘み用リング部材５０を汚すことがない。このため、この摘み用リング部材５０を手で持って、開閉部材３を上下にスライドさせるときに、垂れ落ちた液による手の汚れを有効に防止することができる。
【００２１】
本発明において、上記のような複数の連結部材５１は、一般に、開閉部材３を真っ直ぐ上方にスライドさせ得るように、点対称的に設けられるが、その数や大きさは特に制限されないが、その数を必要以上に多くすると、空間５３が狭くなってしまい、空間５３からの垂れ落ちた液の逃げが不十分になるおそれがあり、また、連結部材５１の長さをあまり短くすると、連結部材５１を介して、垂れ落ちた液によって摘み用リング部材５０が汚されてしまうことがある。従って、連結部材５１の数や大きさは、容器口部の大きさ或いは開閉部材３の大きさに応じて適宜の物とするのがよい。
【００２２】
また、本発明においては、図６の断面図に示されているように、連結部材５１の上部を山形形状とすることが好ましい。即ち、連結部材５１の形状をこのような山形形状とすると、連結部材５１上に内容液が垂れ落ちたとしても、垂れ落ちた液は、連結部材５１の山形形状に沿って下方に案内され、摘み用リング部材５０の汚染を有効に防止することができる。
【００２３】
また、図７に示されているように、連結部材５１の上面５１ａを、リング部材５０の上面５０ａよりも低い位置に設定して段差ｈを形成することが好ましい。このようにすれば、連結部材５１の上面５１ａに垂れ落ちた液のリング部材５０への移行を有効に阻止することができる。
【００２４】
さらに、図７に示されているように、リング部材５０の上面５０ａの内周側は、内方に向かって降下した傾斜面５０ｂとなっていることが好ましい。即ち、この傾斜面５０ｂの下側に連結部材５１が接続されるが、このような傾斜面５０ｂにより、連結部材５１の上面５１ａに垂れ落ちた液がリング部材５０側に移行しにくくなるばかりか、仮にリング部材５０側に液が移行したとしても、傾斜面５０ｂに沿って再び連結部材５１側に戻るため、リング部材５０の汚染を有効に防止することができる。
【００２５】
また、上記のようなリング部材５０の下面には、図１等に示されているように、内容液の遮断用突起５５を設けることが好ましい。このような遮断用突起５５を設けることにより、連結部材５１に垂れ落ちた内容液が下側からリング部材５０の下面に回りこむことが有効に防止することができる。
【００２６】
上記の例では、図３に示されているように、遮断用突起５５は、リング部材５０の全周にわたって形成されているが、必ずしも全周にわたって設ける必要はなく、例えば、複数の連結部材５１の延長線のそれぞれを跨ぐように、複数の遮断用突起５５を間欠的に設けることもできる。即ち、複数の遮断用突起５５を間欠的に設けた場合にも、連結部材５１の延長線上を跨ぐように遮断用突起５５が形成されている限り、連結部材５１の下側からのリング部材５０側への液の回りこみを有効に防止することができる。
【００２７】
尚、本発明において、リング部材５０の大きさは特に制限されるものではないが、図１から理解されるように、リング部材５０の外径Ｄを、キャップ本体１の頂板部５の周縁から延びている肩部９の外径ｄ（筒状側壁７の上端の外径に相当）よりも大きく設定することが好ましい。即ち、キャップ本体１の肩部９に垂れ落ちた液が付着していたとしても、上記のようにリング部材５０の大きさを設定しておけば、リング部材５０を手で摘んだときに、この肩部９に付着した液により手が汚れるという不都合を有効に防止することができる。
【００２８】
上述した本発明の複合容器蓋は、液体洗剤のように粘性の大きな液が収容される容器のキャップとして極めて有用である。
【図面の簡単な説明】
【００２９】
【図１】本発明の複合容器蓋について、開閉部材が閉じられている状態での側面図。
【図２】図１の複合容器蓋の側断面図。
【図３】図１の複合容器蓋について、開閉部材が開放されている状態での側断面図。
【図４】図１の複合容器蓋の底面図。
【図５】図１の複合容器蓋の上面図。
【図６】図５の複合容器蓋に設けられている開閉部材と摘み用リング部材とを連結する連結部材を拡大して示すＡ−Ａ断面図。
【図７】図１の複合容器蓋における開閉部材及び連結部材を拡大して示す側断面図。
【符号の説明】
【００３０】
１：キャップ本体
３：開閉部材
１７：第１の内容液注出口
１９：開閉部材保持筒１９
５０：摘み用リング部材
５１：連結部材
５３：空間
５５：遮断用突起
【図１】
0004769523.tif 000002
【図２】
0004769523.tif 000003
【図３】
0004769523.tif 000004
【図４】
0004769523.tif 000005
【図５】
0004769523.tif 000006
【図６】
0004769523.tif 000007
【図７】
0004769523.tif 000008